(57)【特許請求の範囲】
【請求項１】
作業日と作業内容とを含む作業スケジュールの入力を受け付け、
受け付けた前記作業スケジュールを前記作業スケジュールの入力日と対応づけて記憶部に記憶し、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、
組としての作業内容が同じ作業内容を参照する場合であっても、日付欄に入力日が設定された場合と作業日が設定された場合とで、作業内容の表示態様を異なる態様で表示する、
処理をコンピュータに実行させることを特徴とする表示制御プログラム。
【請求項２】
前記リストを表示する際、入力日と作業内容の組と、作業日と作業内容との組とで、同じ作業内容を参照する組の重複を排除する請求項１記載の表示制御プログラム。
【請求項３】
前記組の重複を排除した場合、日付欄に入力日が設定された場合と、作業日が設定された場合と、入力日かつ作業日が設定された場合とで、作業内容の表示態様を異なる態様で表示する請求項２記載の表示制御プログラム。
【請求項４】
作業日と作業内容とを含む作業スケジュールの入力を受け付け、
受け付けた前記作業スケジュールを前記作業スケジュールの入力日と対応づけて記憶部に記憶し、
日付を指定した作業スケジュールの表示指示に応じて、前記記憶部の記憶内容を参照して、入力日及び作業日の少なくとも一方が指定された日付と一致する作業内容と、入力日及び作業日との組を抽出し、
抽出した組をリストに表示する
処理をコンピュータに実行させることを特徴とする表示制御プログラム。
【請求項５】
作業日と作業内容とを含む作業スケジュールの入力を受け付ける受付部と、
受け付けた前記作業スケジュールを前記作業スケジュールの入力日と対応づけて記憶部に記憶する記憶制御部と、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、組としての作業内容が同じ作業内容を参照する場合であっても、日付欄に入力日が設定された場合と作業日が設定された場合とで、作業内容の表示態様を異なる態様で表示する表示制御部と、
を含む表示制御装置。
【請求項６】
作業日と作業内容とを含む作業スケジュールの入力を受け付け、
受け付けた前記作業スケジュールを前記作業スケジュールの入力日と対応づけて記憶部に記憶し、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、
組としての作業内容が同じ作業内容を参照する場合であっても、日付欄に入力日が設定された場合と作業日が設定された場合とで、作業内容の表示態様を異なる態様で表示する、
処理をコンピュータに実行させることを特徴とする表示制御方法。
【発明の詳細な説明】
【技術分野】
【０００１】
本発明は、表示制御プログラム、表示制御装置、及び表示制御方法に関する。
【背景技術】
【０００２】
従来、電子カルテシステムを用いた診療記録の登録及び閲覧に関する技術が存在する。
【０００３】
例えば、過去及び未来における診療内容を圧縮して一画面に収めて表示する端末が提案されている。この端末は、実施日に基づいて診療内容が表示されているカレンダ画面に加えて、オーダした日付に基づいて診療内容が表示される明細書画面の表示を行う。
【０００４】
また、診療情報の表示期間を含む表示条件を指定し、条件を満たす診療情報を抽出して時系列に配置すると共に最新日時を最初に表示するシステムが提案されている。このシステムでは、表示条件の一つとして、指示日時を、投与開始日、検査日、予約日、及び記載日の中から択一的に指定可能である。
【０００５】
また、ユーザから、特定の患者についての診療過程を時系列化した診療過程データの参照要求を受け付けた場合、参照要求に係る特定の患者の識別情報を含むログデータを診療過程ログデータベースから抽出する方法が提案されている。この方法では、少なくとも抽出したログデータに含まれるデータ種別に基づき、特定の患者についての診療過程データを生成し、ユーザに提示する。
【先行技術文献】
【特許文献】
【０００６】
【特許文献１】特開２００３−１３２１４４号公報
【特許文献２】特開２００２−１１７１４１号公報
【特許文献３】特開２００８−２２５７１２号公報
【発明の概要】
【発明が解決しようとする課題】
【０００７】
ここで、作業スケジュールを管理するシステムには、作業を実施する作業日と作業内容とを含む作業スケジュールが登録される。また、その作業スケジュールには、作業スケジュールがシステムに入力された入力日も対応付けられる。すなわち、作業内容に対して、作業日と入力日という２つの属性の日付が対応付けられることになる。
【０００８】
例えば、電子カルテシステムの場合、診察や検査等の医療行為に対して、その医療行為が行われた実施日と、その医療行為の予約が行われた日、すなわちシステムへの入力日とが、医療行為の内容に対応付けられる。
【０００９】
このように、作業内容に２つの属性の日付が対応付けられている場合、従来のシステムでは、作業日を指定して該当する作業内容のリストを表示したり、入力日を指定して該当する作業内容のリストを表示したりすることはできる。しかし、いずれの場合も、リストに表示された情報からだけでは、リストに表示されている作業内容を含む作業スケジュールが入力されるに至った経緯を把握することができない。
【００１０】
本発明は、異なる属性の日付が対応付けられた作業内容を、作業内容が入力された経緯を把握可能に表示することを目的とする。
【課題を解決するための手段】
【００１１】
本発明は、一つの態様として、作業日と作業内容とを含む作業スケジュールの入力を受け付け、受け付けた前記作業スケジュールを前記作業スケジュールの入力日と対応づけて記憶部に記憶する。そして、作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示する。この際、組としての作業内容が同じ作業内容を参照する場合であっても、日付欄に入力日が設定された場合と作業日が設定された場合とで、作業内容の表示態様を異なる態様で表示する。
【発明の効果】
【００１２】
一つの側面として、異なる属性の日付が対応付けられた作業内容を、作業内容が入力された経緯を把握可能に表示することができる、という効果を有する。
【図面の簡単な説明】
【００１３】
【図１】第１実施形態に係る表示制御装置の概略構成を示す機能ブロック図である。
【図２】第１実施形態におけるカルテ情報受付画面の一例を示す図である。
【図３】カルテ情報データベースの一例を示す図である。
【図４】特定の患者のカルテ情報群の一例を示す図である。
【図５】入力日毎のカルテ情報群の一例を示す図である。
【図６】入力日が指定されたカルテ情報リストを含む画面の一例を示す図である。
【図７】実施日毎のカルテ情報群の一例を示す図である。
【図８】実施日が指定されたカルテ情報リストを含む画面の一例を示す図である。
【図９】第１実施形態におけるカルテ情報閲覧画面の一例を示す図である。
【図１０】入力日又は実施日と実施内容との組集合の一例を示す図である。
【図１１】第１及び第２実施形態に係る表示制御装置として機能するコンピュータの概略構成を示すブロック図である。
【図１２】第１及び第２実施形態における登録処理の一例を示すフローチャートである。
【図１３】第１実施形態における閲覧処理の一例を示すフローチャートである。
【図１４】カルテ情報閲覧画面の他の例を示す図である。
【図１５】カルテ情報閲覧画面の他の例を示す図である。
【図１６】第２実施形態に係る表示制御装置の概略構成を示す機能ブロック図である。
【図１７】特定の患者のカルテ情報群の一例を示す図である。
【図１８】第２実施形態におけるカルテ情報閲覧画面の一例を示す図である。
【図１９】第２実施形態における閲覧処理の一例を示すフローチャートである。
【図２０】カルテ情報閲覧画面の他の例を示す図である。
【発明を実施するための形態】
【００１４】
以下、図面を参照して、本発明に関する実施形態の一例を詳細に説明する。
【００１５】
＜第１実施形態＞
図１に示すように、第１実施形態に係る表示制御装置１０Ａは、受付部１１と、記憶制御部１２と、表示制御部１４Ａとを含む。また、表示制御装置１０Ａの所定の記憶領域には、カルテ情報データベース（ＤＢ）２０が記憶されている。
【００１６】
受付部１１は、例えば、図２に示すようなカルテ情報受付画面３０を表示装置（図示省略）に表示し、医師などのユーザにより入力される医療行為の実施情報を受け付ける。実施情報は、本発明の作業スケジュールの一例であり、医療行為の実施日と実施内容とを含む。また、実施日は、本発明の作業日の一例であり、実施内容は、本発明の作業内容の一例である。
【００１７】
図２の例では、カルテ情報受付画面３０には、患者を特定する情報３１（図２の例では、患者ＩＤ及び患者氏名）が表示される。なお、カルテ情報受付画面３０を表示する前に、患者ＩＤは予め指定されている。患者を特定する情報３１としては、氏名、性別、生年月日等の患者に関する情報が登録された患者ＤＢ（図示省略）から、指定された患者ＩＤに対応する情報を取得して表示すればよい。また、カルテ情報受付画面３０は、実施日を入力するための領域３２と、実施内容を入力するための領域３３と、入力された実施情報を登録する際に選択される登録ボタン３４とを含む。
【００１８】
受付部１１は、カルテ情報受付画面３０の登録ボタン３４がユーザにより選択されたことを検出すると、患者ＩＤと、入力された実施情報（領域３２に入力された実施日、及び領域３３に入力された実施内容）とを記憶制御部１２へ受け渡す。
【００１９】
記憶制御部１２は、受付部１１から受け渡された患者ＩＤ及び実施情報に、入力日（入力作業が行われた日付、すなわち登録ボタン３４が選択されたときの日付）を対応付けて、例えば、図３に示すようなカルテ情報ＤＢ２０に記憶する。以下では、入力日と実施情報とが対応付けられた情報をカルテ情報という。すなわち、カルテ情報ＤＢ２０の各行は、１つのカルテ情報に患者ＩＤが対応付けられた情報である。
【００２０】
表示制御部１４Ａは、患者ＩＤの指定と共に、カルテ情報の表示指示を受け付けると、カルテ情報ＤＢ２０から、指定された患者ＩＤに対応するカルテ情報を取得し、取得したカルテ情報を一覧にしたカルテ情報リストを表示装置に表示する。
【００２１】
ここで、本実施形態におけるカルテ情報リストの表示を詳細に説明する前に、カルテ情報が持ついずれかの属性の日付を指定してカルテ情報リストを表示する場合を考える。
【００２２】
例えば、カルテ情報ＤＢ２０から、指定された患者ＩＤに対応付けられたカルテ情報として、図４に示すカルテ情報群２０Ａが取得されたとする。なお、図４の最左欄のアルファベットは、各カルテ情報を識別するために、説明の便宜上用いる識別子である。以降の図においても同様である。以下では、各カルテ情報を、そのカルテ情報に対応付けられたアルファベットのみで表記する場合もある。
【００２３】
図４に示すカルテ情報群２０Ａを用いて、入力日を指定してカルテ情報リストを表示する場合には、図５に示すように、カルテ情報群２０１、２０２、２０３、２０４の各々の単位でカルテ情報リストは表示される。カルテ情報群２０１はＡ〜Ｆ、カルテ情報群２０２はＧ〜Ｋ、カルテ情報群２０３はＬ〜Ｏ、カルテ情報群２０４はＰ及びＱを含む。
【００２４】
例えば、入力日「２０１６／１／１７」が指定された場合には、図６に示すように、「入力日」が「２０１６／１／１７」のカルテ情報の集合（Ｇ〜Ｋ）であるカルテ情報群２０２がカルテ情報リストに表示される。なお、図６の例では、画面４００には、患者を特定するための情報４０１、日付を指定するための領域４０２、及びカルテ情報リスト４０３が表示されている。
【００２５】
図６に示す画面４００に表示されたカルテ情報リスト４０３からは、指定された入力日に入力（予約）され、かつ指定された入力日に実施される又は実施された実施内容と、指定された入力日に入力された未来に実施される実施内容を把握することができる。しかし、指定された入力日より前の日に入力され、指定された入力日に実施される又は実施された実施内容（図５のＤ〜Ｆ）は、把握することができない。
【００２６】
また、図４に示すカルテ情報群２０Ａを用いて、実施日を指定してカルテ情報リストを表示する場合には、図７に示すように、カルテ情報群２０５、２０６、２０７、２０８の各々の単位でカルテ情報リストは表示される。カルテ情報群２０５はＡ〜Ｃ、カルテ情報群２０６はＤ〜Ｉ、カルテ情報群２０７はＪ〜Ｌ、カルテ情報群２０８はＭ〜Ｑを含む。例えば、実施日「２０１６／１／１７」が指定された場合には、図８に示すように、「実施日」が「２０１６／１／１７」のカルテ情報の集合（Ｄ〜Ｉ）であるカルテ情報群２０６がカルテ情報リスト４０３に表示される。
【００２７】
図８に示す画面４００に表示されたカルテ情報リスト４０３からは、指定された実施日に実施される又は実施された実施内容を把握することができる。しかし、指定された実施日に入力された未来に実施される実施内容（図７のＪ及びＫ）は、把握することはできない。
【００２８】
このため、例えば、ユーザが、入力日を指定したカルテ情報リスト（例えば、図６）を見ながら、指定した日付に実施される全ての実施内容を確認したい場合には、実施日を指定して、カルテ情報リストを表示し直す必要がある。一方、ユーザが、実施日を指定したカルテ情報リスト（例えば、図８）を見ながら、指定した日付に実施された実施内容に基づいて入力（予約）した実施内容を確認したい場合には、入力日を指定して、カルテ情報リストを表示し直す必要がある。
【００２９】
そこで、本実施形態では、表示制御部１４Ａは、入力日と実施内容との組、及び実施日と実施内容との組を、入力日と実施日とが共通する日付欄に設定されたカルテ情報リストに表示する。この際、カルテ情報リストには、同じカルテ情報について、日付が入力日の組と実施日の組とが含まれるため、表示制御部１４Ａは、日付が入力日の場合と実施日の場合とで、各組の実施内容の表示態様を異なる態様で表示する。
【００３０】
具体的には、表示制御部１４Ａは、図９に示すようなカルテ情報閲覧画面４０Ａを表示装置に表示する。図９の例では、カルテ情報閲覧画面４０Ａは、患者を特定するための情報４１、日付を指定するための領域４２、カルテ情報リスト４３Ａ、及びカルテ情報リストの凡例４４が表示されている。
【００３１】
日付を指定する領域４２は、例えば、日付を入力するためのテキストボックスと、入力した日付を決定する際に選択される決定ボタンとを含むことができる。また、日付の入力は、テキストボックスに直接入力する場合に限定されず、プルダウンリストやカレンダーから選択して入力する形式としてもよい。
【００３２】
表示制御部１４Ａは、領域４２で日付が指定されると、指定された患者ＩＤに対応するカルテ情報の各々を、入力日と実施内容との組と、実施日と実施内容との組とに分割し、各組を日付（入力日又は実施日）順に並べる。そして、表示制御部１４Ａは、日付（入力日又は実施日）が指定された日付と一致する組の各々を、カルテ情報リスト４３Ａに表示する。
【００３３】
例えば、図４に示すカルテ情報群２０Ａを用いてカルテ情報リスト４３Ａを表示する場合、表示制御部１４Ａは、図１０に示すように、入力日又は実施日と実施内容との組集合２０９、２１０、２１１、２１２の各々の単位でカルテ情報リスト４３Ａを表示する。なお、図１０において、白地のアルファベットに対応する組は、「日付」欄が「入力日」であることを表し、網掛けのアルファベットに対応する組は、「日付」欄が「実施日」であることを表している。図９に示すカルテ情報閲覧画面４０Ａのカルテ情報リスト４３Ａは、日付「２０１６／１／１７」が指定され、図１０の入力日又は実施日と実施内容との組集合２１０がカルテ情報リスト４３Ａに表示された例である。
【００３４】
また、図９に示すカルテ情報閲覧画面４０Ａの例では、カルテ情報リスト４３Ａの「日付」欄が「入力日」の組の「実施内容」欄を白地で、「日付」欄が「実施日」の組の「実施内容」欄を網掛けとし、表示態様が異なることを表している。凡例４４は、「実施内容」欄の表示態様の説明である。
【００３５】
図９に示すカルテ情報閲覧画面４０Ａのカルテ情報リスト４３Ａからは、２０１６／１／１７に実施された診察、血液・尿検査、及び内視鏡検査の結果に基づいて、２０１６／１／１７に、さらにエコー検査を実施していることを把握することができる。また、これらの検査結果を踏まえて、２０１６／１／１７に注射及び処方が実施され、次の診察及び血液・尿検査の入力（予約）が行われていることがわかる。このように、過去に入力された医療行為も含め、指定された日に実施される又は実施された実施内容も、指定された日に入力された未来に実施される実施内容も合わせて確認することができる。これにより、上記のように、各実施内容（医療行為）を行うに至った経緯を把握することができる。
【００３６】
表示制御装置１０Ａは、例えば、図１１に示すコンピュータ５０で実現することができる。コンピュータ５０はＣＰＵ５１、一時記憶領域としてのメモリ５２、及び不揮発性の記憶部５３を備える。また、コンピュータ５０は、表示装置及び入力装置等の入出力装置５４、及び記録媒体５９に対するデータの読み込み及び書き込みを制御するread/write（Ｒ／Ｗ）部５５を備える。また、コンピュータ５０は、インターネット等のネットワークに接続されるネットワークinterface（Ｉ／Ｆ）５６を備える。ＣＰＵ５１、メモリ５２、記憶部５３、入出力装置５４、Ｒ／Ｗ部５５、及びネットワークＩ／Ｆ５６は、バス５７を介して互いに接続される。
【００３７】
記憶部５３は、Hard Disk Drive（ＨＤＤ）、solid state drive（ＳＳＤ）、フラッシュメモリ等によって実現できる。記憶媒体としての記憶部５３には、コンピュータ５０を表示制御装置１０Ａとして機能させるための表示制御プログラム６０Ａが記憶されている。表示制御プログラム６０Ａは、受付プロセス６１と、記憶制御プロセス６２と、表示制御プロセス６４Ａとを有する。また、記憶部５３は、カルテ情報ＤＢ２０を構成する情報が記憶されるカルテ情報記憶領域７０を有する。
【００３８】
ＣＰＵ５１は、表示制御プログラム６０Ａを記憶部５３から読み出してメモリ５２に展開し、表示制御プログラム６０Ａが有するプロセスを順次実行する。ＣＰＵ５１は、受付プロセス６１を実行することで、図１に示す受付部１１として動作する。また、ＣＰＵ５１は、記憶制御プロセス６２を実行することで、図１に示す記憶制御部１２として動作する。また、ＣＰＵ５１は、表示制御プロセス６４Ａを実行することで、図１に示す表示制御部１４Ａとして動作する。また、ＣＰＵ５１は、カルテ情報記憶領域７０から情報を読み出して、カルテ情報ＤＢ２０をメモリ５２に展開する。これにより、表示制御プログラム６０Ａを実行したコンピュータ５０が、表示制御装置１０Ａとして機能することになる。
【００３９】
なお、表示制御プログラム６０Ａにより実現される機能は、例えば半導体集積回路、より詳しくはApplication Specific Integrated Circuit（ＡＳＩＣ）等で実現することも可能である。
【００４０】
次に、第１実施形態に係る表示制御装置１０Ａの作用について説明する。例えば、表示制御装置１０Ａを含む電子カルテシステムにおいて、患者ＩＤが指定され、実施情報を登録するためのメニューが選択されると、表示制御装置１０Ａにおいて、図１２に示す登録処理が実行される。また、患者ＩＤが指定され、カルテ情報を閲覧するためのメニューが選択されると、表示制御装置１０Ａにおいて、図１３に示す閲覧処理が実行される。以下、各処理について詳述する。
【００４１】
図１２に示す登録処理のステップＳ１１で、受付部１１が、例えば、図２に示すようなカルテ情報受付画面３０を表示装置に表示する。
【００４２】
次に、ステップＳ１２で、受付部１１が、カルテ情報受付画面３０の登録ボタン３４がユーザにより選択されたか否かを検出する。登録ボタン３４が選択された場合には、処理はステップＳ１３へ移行し、登録ボタン３４が選択されていない場合には、本ステップの判定を繰り返す。
【００４３】
ステップＳ１３では、受付部１１が、患者ＩＤと、実施情報（カルテ情報受付画面３０の領域３２に入力された実施日、及び領域３３に入力された実施内容）とを、記憶制御部１２へ受け渡す。記憶制御部１２は、受付部１１から受け渡された患者ＩＤ及び実施情報に入力日を対応付けて、例えば、図３に示すようなカルテ情報ＤＢ２０に記憶し、登録処理は終了する。
【００４４】
次に、図１３に示す閲覧処理のステップＳ２１で、表示制御部１４Ａが、カルテ情報ＤＢ２０から、指定された患者ＩＤに対応するカルテ情報を取得する。
【００４５】
次に、ステップＳ２２で、表示制御部１４Ａが、図９に示すようなカルテ情報閲覧画面４０Ａを表示装置に表示する。なお、この段階では、カルテ情報リスト４３Ａは空欄である。
【００４６】
次に、ステップＳ２３で、表示制御部１４Ａが、カルテ情報閲覧画面４０Ａの領域４２において、日付が指定されたか否かを判定する。日付が指定された場合には、処理はステップＳ２４へ移行し、日付が指定されていない場合には、本ステップの判定を繰り返す。
【００４７】
ステップＳ２４では、表示制御部１４Ａが、上記ステップＳ２１で取得した該当患者のカルテ情報の各々を、入力日と実施内容との組と、実施日と実施内容との組とに分割し、各組を日付（入力日又は実施日）順に並べる。そして、表示制御部１４Ａは、日付（入力日又は実施日）が、上記ステップＳ２３で指定された日付と一致する組の各々を、カルテ情報リスト４３Ａに表示する。
【００４８】
次に、ステップＳ２５で、表示制御部１４Ａが、カルテ情報リスト４３Ａに表示した組のうち、「日付」欄が入力日の場合と実施日の場合とで、「実施内容」欄の表示態様が異なるように変更して、閲覧処理は終了する。
【００４９】
以上説明したように、第１実施形態に係る表示制御装置は、入力日と実施日とが実施内容に対応付けられたカルテ情報を、入力日と実施内容との組と、実施日と実施内容との組とに分割する。そして、入力日又は実施日が指定された日付と一致する組をリストに表示する。これにより、過去に入力（予約）された実施内容も含め、指定された日に実施される又は実施された実施内容も、指定された日に入力された未来に実施される実施内容も合わせて確認することができる。すなわち、第１実施形態に係る表示制御装置によれば、異なる属性の日付が対応付けられた実施内容を、実施内容が入力された経緯を把握可能に表示することができる。
【００５０】
なお、第１実施形態では、図９に示すように、入力日と実施内容との組と、実施日と実施内容との組のうち、日付が指定された日付と一致する組のみをカルテ情報リスト４３Ａに表示する場合について説明したが、これに限定されない。例えば、図１４に示すカルテ情報閲覧画面４０Ａ１のように、指定された患者ＩＤに対応するカルテ情報群から分割された全ての組を、画面スクロールなどを利用して表示可能なカルテ情報リスト４３Ａ１を表示してもよい。すなわち、図１０に示す組集合２０９、２１０、２１１、２１２で分類することなく、図１０に含まれる全ての組をカルテ情報リスト４３Ａ１に表示してもよい。この場合、日付を指定する領域４２は省略してもよいし、領域４２で指定された日付を含む組がカルテ情報リスト４３Ａ１に優先的に表示されるようにしてもよい。
【００５１】
また、第１実施形態では、入力日と実施日とが同一のカルテ情報についても、入力日と実施内容との組と、実施日と実施内容との組とに分割しているため、カルテ情報リスト４３Ａに表示される組に重複が生じている。例えば、図９の例では、実施内容が「エコー検査」、「注射」、及び「処方」の各々の組（図４のＧ、Ｈ、及びＩ）は、日付が入力日の組と、実施日の組とで重複している。そこで、重複している組については、一方の組を削除し、残った一方の組の「日付」に入力日及び実施日の両方を対応させる。この場合、図１５に示すカルテ情報閲覧画面４０Ａ２のように、カルテ情報リスト４３Ａ２において、「日付」欄に入力日及び実施日の両方が対応している組の「実施内容」欄の表示態様をさらに異ならせるとよい。
【００５２】
＜第２実施形態＞
次に、第２実施形態について説明する。なお、第２実施形態に係る表示制御装置において、第１実施形態に係る表示制御装置１０Ａと同様の部分については、同一符号を付して詳細な説明を省略する。
【００５３】
図１６に示すように、第２実施形態に係る表示制御装置１０Ｂは、受付部１１と、記憶制御部１２と、抽出部１３と、表示制御部１４Ｂとを含む。また、表示制御装置１０Ｂの所定の記憶領域には、カルテ情報ＤＢ２０が記憶されている。
【００５４】
抽出部１３は、患者ＩＤの指定と共に、カルテ情報の表示指示を受け付けると、カルテ情報ＤＢ２０から、指定された患者ＩＤに対応するカルテ情報群を取得する。また、抽出部１３は、日付の指定を受け付け、取得したカルテ情報群から、入力日及び実施日の少なくとも一方が指定された日付と一致するカルテ情報を抽出する。
【００５５】
例えば、抽出部１３は、指定された患者ＩＤに対応するカルテ情報群として、図４に示すカルテ情報群２０Ａを取得した場合であって、「２０１６／１／１０」が指定された場合には、図１７に示すカルテ情報群２２１（Ａ〜Ｆ）を抽出する。同様に、「２０１６／１／１７」が指定された場合には、抽出部１３は、図１７に示すカルテ情報群２２２（Ｄ〜Ｋ）を抽出する。同様に、「２０１６／１／２４」が指定された場合には、抽出部１３は、図１７に示すカルテ情報群２２３（Ｊ〜Ｏ）を抽出する。同様に、「２０１６／１／３１」が指定された場合には、抽出部１３は、図１７に示すカルテ情報群２２４（Ｍ〜Ｑ）を抽出する。
【００５６】
抽出部１３は、抽出したカルテ情報群を表示制御部１４Ｂへ受け渡す。
【００５７】
表示制御部１４Ｂは、第１実施形態に係る表示制御部１４Ａと同様に、カルテ情報閲覧画面を表示装置に表示する。例えば、表示制御部１４Ｂは、図１８に示すようなカルテ情報閲覧画面４０Ｂを表示する。カルテ情報閲覧画面４０Ｂには、患者を特定するための情報４１、日付を指定するための領域４２、及びカルテ情報リスト４３Ｂが表示される。表示制御部１４Ｂは、抽出部１３から受け渡されたカルテ情報群を、カルテ情報リスト４３Ｂに表示する。
【００５８】
図１８に示すカルテ情報閲覧画面４０Ｂのカルテ情報リスト４３Ｂからは、第１実施形態におけるカルテ情報リスト４３Ａと同様に、過去に入力（予約）された実施内容も含め、指定された日に実施される又は実施された実施内容も、指定された日に入力された未来に実施される実施内容も合わせて確認することができる。これにより、各実施内容（医療行為）を行うに至った経緯を把握することができる。
【００５９】
表示制御装置１０Ｂは、例えば、図１１に示すコンピュータ５０で実現することができる。コンピュータ５０の記憶部５３には、コンピュータ５０を表示制御装置１０Ｂとして機能させるための表示制御プログラム６０Ｂが記憶されている。表示制御プログラム６０Ｂは、受付プロセス６１と、記憶制御プロセス６２と、抽出プロセス６３と、表示制御プロセス６４Ｂとを有する。また、記憶部５３はカルテ情報記憶領域７０を有する。
【００６０】
ＣＰＵ５１は、表示制御プログラム６０Ｂを記憶部５３から読み出してメモリ５２に展開し、表示制御プログラム６０Ｂが有するプロセスを順次実行する。ＣＰＵ５１は、抽出プロセス６３を実行することで、図１６に示す抽出部１３として動作する。また、ＣＰＵ５１は、表示制御プロセス６４Ｂを実行することで、図１６に示す表示制御部１４Ｂとして動作する。他のプロセスについては、第１実施形態に係る表示制御プログラム６０Ａと同様である。これにより、表示制御プログラム６０Ｂを実行したコンピュータ５０が、表示制御装置１０Ｂとして機能することになる。
【００６１】
なお、表示制御プログラム６０Ｂにより実現される機能は、例えば半導体集積回路、より詳しくはＡＳＩＣ等で実現することも可能である。
【００６２】
次に、第２実施形態に係る表示制御装置１０Ｂの作用について説明する。例えば、表示制御装置１０Ｂを含む電子カルテシステムにおいて、患者ＩＤが指定され、カルテ情報を登録するためのメニューが選択されると、表示制御装置１０Ｂにおいて、第１実施形態と同様に、図１２に示す登録処理が実行される。また、患者ＩＤが指定され、カルテ情報を閲覧するためのメニューが選択されると、表示制御装置１０Ｂにおいて、図１９に示す閲覧処理が実行される。以下、第２実施形態における閲覧処理について説明する。
【００６３】
図１９に示す閲覧処理のステップＳ３１で、表示制御部１４Ｂが、カルテ情報ＤＢ２０から、指定された患者ＩＤに対応するカルテ情報を取得する。次に、ステップＳ３２で、表示制御部１４Ｂが、図１８に示すようなカルテ情報閲覧画面４０Ｂを表示装置に表示する。なお、この段階では、カルテ情報リスト４３Ｂは空欄である。
【００６４】
次に、ステップＳ３３で、表示制御部１４Ｂが、カルテ情報閲覧画面４０Ｂの領域４２において、日付が指定されたか否かを判定する。日付が指定された場合には、処理はステップＳ３４へ移行し、日付が指定されていない場合には、本ステップの判定を繰り返す。
【００６５】
ステップＳ３４では、抽出部１３が、上記ステップＳ２１で取得した該当患者のカルテ情報の各々から、入力日及び実施日の少なくとも一方が指定された日付と一致するカルテ情報を抽出する。そして、抽出部１３は、抽出したカルテ情報群を表示制御部１４Ｂへ受け渡す。
【００６６】
次に、ステップＳ３５で、表示制御部１４Ｂが、抽出部１３から受け渡されたカルテ情報群をカルテ情報閲覧画面４０Ｂのカルテ情報リスト４３Ｂに表示して、閲覧処理は終了する。
【００６７】
以上説明したように、第２実施形態に係る表示制御装置は、入力日及び実施日の少なくとも一方が指定された日付と一致するカルテ情報群を抽出し、リストに表示する。これにより、第１実施形態の場合と同様に、異なる属性の日付が対応付けられた実施内容を、実施内容が入力された経緯を把握可能に表示することができる。
【００６８】
なお、第２実施形態では、例えば図１８に示すように、カルテ情報リスト４３Ｂに入力日及び実施日の両方を表示する場合について説明したが、これに限定されない。例えば、図２０に示すカルテ情報閲覧画面４０Ｂ１のように、カルテ情報リスト４３Ｂ１の日付欄を入力日と実施日とで共通の日付欄としてもよい。この場合、例えば、抽出したカルテ情報の入力日及び実施日の一方が、指定された日付と異なる場合には、その異なる日付をカルテ情報リスト４３Ｂ１の日付欄に表示する。抽出したカルテ情報の入力日及び実施日が両方とも指定された日付と同じ場合は、そのまま指定された日付を日付欄に表示する。そして、日付欄に設定された日付が入力日か、実施日か、又は入力日かつ実施日かに応じて、「実施内容」欄の表示態様を異ならせるとよい。
【００６９】
なお、上記各実施形態では、電子カルテシステムに含まれる表示制御装置について説明したが、本発明は、１つの内容に対して異なる属性の日付が対応付けられている情報の表示であれば適用可能である。
【００７０】
また、上記各実施形態では、カルテ情報リストの日付の属性に応じて表示態様を異ならせる場合、「実施内容」欄の表示態様のみを異ならせる場合について説明したが、これに限定されない。例えば、「日付」欄も合わせて表示態様を異ならせてもよい。また、上記各実施形態では、「実施内容」欄の背景を異ならせた例で、表示態様を異ならせることを表現しているが、これに限定されない。該当部分の線の種類、色、太さ、フォントの種類、サイズ等を異ならせてもよいし、日付の属性を表すマークやコメント等を付加してもよい。
【００７１】
なお、上記では、表示制御プログラム６０Ａ、６０Ｂが記憶部５３に予め記憶（インストール）されている態様を説明したが、これに限定されない。本発明に係るプログラムは、ＣＤ−ＲＯＭ、ＤＶＤ−ＲＯＭ、ＵＳＢメモリ等の記録媒体に記録された形態で提供することも可能である。
【００７２】
以上の各実施形態に関し、更に以下の付記を開示する。
【００７３】
（付記１）
作業日と作業内容とを含む作業スケジュールの入力を受け付け、
受け付けた前記作業スケジュールを前記作業スケジュールの入力日と対応づけて記憶部に記憶し、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、
組としての作業内容が同じ作業内容を参照する場合であっても、日付欄に入力日が設定された場合と作業日が設定された場合とで、作業内容の表示態様を異なる態様で表示する、
処理をコンピュータに実行させることを特徴とする表示制御プログラム。
【００７４】
（付記２）
前記リストを表示する際、入力日と作業内容の組と、作業日と作業内容との組とで、同じ作業内容を参照する組の重複を排除する付記１記載の表示制御プログラム。
【００７５】
（付記３）
前記組の重複を排除した場合、日付欄に入力日が設定された場合と、作業日が設定された場合と、入力日かつ作業日が設定された場合とで、作業内容の表示態様を異なる態様で表示する付記２記載の表示制御プログラム。
【００７６】
（付記４）
作業日と作業内容とを含む作業スケジュールの入力を受け付け、
受け付けた前記作業スケジュールを前記作業スケジュールの入力日と対応づけて記憶部に記憶し、
日付を指定した作業スケジュールの表示指示に応じて、前記記憶部の記憶内容を参照して、入力日及び作業日の少なくとも一方が指定された日付と一致する作業内容と、入力日及び作業日との組を抽出し、
抽出した組をリストに表示する
処理をコンピュータに実行させることを特徴とする表示制御プログラム。
【００７７】
（付記５）
入力日と作業日とで共通の日付欄を有するリストに表示する組の各々について、前記入力日のみが前記指定された日付と一致する場合には、前記日付欄に作業日を表示し、前記作業日のみが前記指定された日付と一致する場合には、前記日付欄に入力日を表示し、前記入力日及び前記作業日の両方が前記指定された日付と一致する場合には、前記日付欄に入力日かつ作業日を表示する付記４記載の表示制御プログラム。
【００７８】
（付記６）
前記リストに表示する組の各々について、前記日付欄が入力日の場合、作業日の場合、又は入力日かつ作業日の場合とで、表示態様を異ならせる付記５記載の表示制御プログラム。
【００７９】
（付記７）
作業日と作業内容とを含む作業スケジュールの入力を受け付ける受付部と、
受け付けた前記作業スケジュールを前記作業スケジュールの入力日と対応づけて記憶部に記憶する記憶制御部と、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、組としての作業内容が同じ作業内容を参照する場合であっても、日付欄に入力日が設定された場合と作業日が設定された場合とで、作業内容の表示態様を異なる態様で表示する表示制御部と、
を含む表示制御装置。
【００８０】
（付記８）
前記表示制御部は、前記リストを表示する際、入力日と作業内容の組と、作業日と作業内容との組とで、同じ作業内容を参照する組の重複を排除する付記７記載の表示制御装置。
【００８１】
（付記９）
前記表示制御部は、前記組の重複を排除した場合、日付欄に入力日が設定された場合と、作業日が設定された場合と、入力日かつ作業日が設定された場合とで、作業内容の表示態様を異なる態様で表示する付記８記載の表示制御装置。
【００８２】
（付記１０）
作業日と作業内容とを含む作業スケジュールの入力を受け付ける受付部と、
受け付けた前記作業スケジュールを前記作業スケジュールの入力日と対応づけて記憶部に記憶する記憶制御部と、
日付を指定した作業スケジュールの表示指示に応じて、前記記憶部の記憶内容を参照して、入力日及び作業日の少なくとも一方が指定された日付と一致する作業内容と、入力日及び作業日との組を抽出する抽出部と、
抽出した組をリストに表示する表示制御部と、
を含む表示制御装置。
【００８３】
（付記１１）
前記表示制御部は、入力日と作業日とで共通の日付欄を有するリストに表示する組の各々について、前記入力日のみが前記指定された日付と一致する場合には、前記日付欄に作業日を表示し、前記作業日のみが前記指定された日付と一致する場合には、前記日付欄に入力日を表示し、前記入力日及び前記作業日の両方が前記指定された日付と一致する場合には、前記日付欄に入力日かつ作業日を表示する付記１０記載の表示制御装置。
【００８４】
（付記１２）
前記表示制御部は、前記リストに表示する組の各々について、前記日付欄が入力日の場合、作業日の場合、又は入力日かつ作業日の場合とで、表示態様を異ならせる付記１１記載の表示制御装置。
【００８５】
（付記１３）
作業日と作業内容とを含む作業スケジュールの入力を受け付け、
受け付けた前記作業スケジュールを前記作業スケジュールの入力日と対応づけて記憶部に記憶し、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、
組としての作業内容が同じ作業内容を参照する場合であっても、日付欄に入力日が設定された場合と作業日が設定された場合とで、作業内容の表示態様を異なる態様で表示する、
処理をコンピュータに実行させることを特徴とする表示制御方法。
【００８６】
（付記１４）
前記リストを表示する際、入力日と作業内容の組と、作業日と作業内容との組とで、同じ作業内容を参照する組の重複を排除する付記１３記載の表示制御方法。
【００８７】
（付記１５）
前記組の重複を排除した場合、日付欄に入力日が設定された場合と、作業日が設定された場合と、入力日かつ作業日が設定された場合とで、作業内容の表示態様を異なる態様で表示する付記１４記載の表示制御方法。
【００８８】
（付記１６）
作業日と作業内容とを含む作業スケジュールの入力を受け付け、
受け付けた前記作業スケジュールを前記作業スケジュールの入力日と対応づけて記憶部に記憶し、
日付を指定した作業スケジュールの表示指示に応じて、前記記憶部の記憶内容を参照して、入力日及び作業日の少なくとも一方が指定された日付と一致する作業内容と、入力日及び作業日との組を抽出し、
抽出した組をリストに表示する
処理をコンピュータに実行させることを特徴とする表示制御方法。
【００８９】
（付記１７）
入力日と作業日とで共通の日付欄を有するリストに表示する組の各々について、前記入力日のみが前記指定された日付と一致する場合には、前記日付欄に作業日を表示し、前記作業日のみが前記指定された日付と一致する場合には、前記日付欄に入力日を表示し、前記入力日及び前記作業日の両方が前記指定された日付と一致する場合には、前記日付欄に入力日かつ作業日を表示する付記１６記載の表示制御方法。
【００９０】
（付記１８）
前記リストに表示する組の各々について、前記日付欄が入力日の場合、作業日の場合、又は入力日かつ作業日の場合とで、表示態様を異ならせる付記１７記載の表示制御方法。
【００９１】
（付記１９）
作業日と作業内容とを含む作業スケジュールの入力を受け付け、
受け付けた前記作業スケジュールを前記作業スケジュールの入力日と対応づけて記憶部に記憶し、
作業スケジュールの表示指示に応じて、前記記憶部の記憶内容を参照して、入力日と作業内容の組と、作業日と作業内容との組とを混在させて表示する際に、入力日と作業日とが共通する日付欄に設定されたリストを表示し、
組としての作業内容が同じ作業内容を参照する場合であっても、日付欄に入力日が設定された場合と作業日が設定された場合とで、作業内容の表示態様を異なる態様で表示する、
処理をコンピュータに実行させることを特徴とする表示制御プログラムを記憶した記憶媒体。
【００９２】
（付記２０）
作業日と作業内容とを含む作業スケジュールの入力を受け付け、
受け付けた前記作業スケジュールを前記作業スケジュールの入力日と対応づけて記憶部に記憶し、
日付を指定した作業スケジュールの表示指示に応じて、前記記憶部の記憶内容を参照して、入力日及び作業日の少なくとも一方が指定された日付と一致する作業内容と、入力日及び作業日との組を抽出し、
抽出した組をリストに表示する
処理をコンピュータに実行させることを特徴とする表示制御プログラムを記憶した記憶媒体。
【符号の説明】
【００９３】
１０Ａ、１０Ｂ       表示制御装置
１１   受付部
１２   記憶制御部
１３   抽出部
１４Ａ、１４Ｂ       表示制御部
２０   カルテ情報データベース
４０Ａ、４０Ａ１、４０Ａ２、４０Ｂ、４０Ｂ１     カルテ情報閲覧画面
４３Ａ、４３Ａ１、４３Ａ２、４３Ｂ、４３Ｂ１     カルテ情報リスト
５０   コンピュータ
５１   ＣＰＵ
５２   メモリ
５３   記憶部
５９   記録媒体
６０Ａ、６０Ｂ       表示制御プログラム
【図１】
0006579000.tif 000002
【図２】
0006579000.tif 000003
【図３】
0006579000.tif 000004
【図４】
0006579000.tif 000005
【図５】
0006579000.tif 000006
【図６】
0006579000.tif 000007
【図７】
0006579000.tif 000008
【図８】
0006579000.tif 000009
【図９】
0006579000.tif 000010
【図１０】
0006579000.tif 000011
【図１１】
0006579000.tif 000012
【図１２】
0006579000.tif 000013
【図１３】
0006579000.tif 000014
【図１４】
0006579000.tif 000015
【図１５】
0006579000.tif 000016
【図１６】
0006579000.tif 000017
【図１７】
0006579000.tif 000018
【図１８】
0006579000.tif 000019
【図１９】
0006579000.tif 000020
【図２０】
0006579000.tif 000021